(57)【要約】【解決手段】  上下に重ね合わせ得る２つの同一形状の長尺状部材１，１からなり、両部材１，１を互い違いに上下に重ね合わせた状態において、その長手方向に沿って両部材１，１の支持板1a，1aから互い違いに相手部材側に延び出る長尺状の遮断壁1b，1bを有し、各遮断壁1b，1bと前記両部材１，１の各支持板1a，1aとで形成される空間部分を換気通路２とする。【効果】  この換気部材を棟、野地面、下屋など小屋裏の様々な所に設置すると、小屋裏に雨水が侵入することはない。棟、野地面、下屋など小屋裏の適正な換気を行うことができる。【選択図】  図３
2006022514.tif 000002
【特許請求の範囲】
【請求項１】
上下に重ね合わせ得る２つの同一形状の長尺状部材からなり、両部材を互い違いに上下に重ね合わせた状態において、その長手方向に沿って両部材の支持板から互い違いに相手部材側に延び出る長尺状の遮断壁を有し、各遮断壁と前記両部材の各支持板とで形成される空間部分を換気通路としたことを特徴とする換気部材。
【請求項２】
相手部材側に延び出ている一方の遮断壁の先端が他方の遮断壁の先端よりも奥に入り込むごとく延び出させてあることを特徴とする請求項１記載の換気部材。
【請求項３】
上下に重ね合わせ得る２つの同一形状の長尺状部材には、両部材を互い違いに上下に重ね合わせた状態において、互いに凹凸嵌合させ得る凹部と凸部とを形成したことを特徴とする請求項１記載の換気部材。
【請求項４】
換気部材が合成樹脂からなることを特徴とする請求項１〜３のいずれかに記載の換気部材。
【請求項５】
家屋の頂付近の野路板を開口し、この開口部とそれより上方に位置する棟木との間に、請求項１〜４のいずれかに記載の換気部材を設置したことを特徴とする棟換気構造。
【請求項６】
野地板の途中を開口した開口部付近に、請求項１〜４のいずれかに記載の換気部材を設置したことを特徴とする野地面換気構造。
【請求項７】
家屋の頂付近の野路板を開口し、この開口部とそれより上方に位置する棟木との間、および、野地板の途中を開口した開口部付近のいずれにも、請求項１〜４のいずれかに記載の換気部材を設置したことを特徴とする棟と野地面の換気構造。
【請求項８】
瓦葺き下屋の野地板と屋根瓦との間である空間部分に、請求項１〜４のいずれかに記載の換気部材を設置したことを特徴とする下屋換気構造。
【発明の詳細な説明】
【技術分野】
【０００１】
本発明は、棟、野地面、下屋など小屋裏の様々な所に用いることができる換気部材とそれを用いた換気構造に関するものである。
【背景技術】
【０００２】
家屋の頂付近に開口部を設け、家屋の屋根裏の空気を前記開口部から屋外へ放出することが行われている（例えば、特許文献１参照）。この換気は通常棟換気と呼ばれており、屋根裏にたまる湿気や熱気、結露などを放出して家屋内の空気を和らげて室内を快適な状況にし、冷暖房機などの効果を有効に発揮させることができる。
【特許文献１】特開２００１−１４６８２５号公報
【０００３】
一方、支持部材の長手方向に沿って交互にずらせて通気窓を形成し、この支持部材を家屋の野地板の頂付近に設置し、この支持部材で瓦を支持することにより、野地板と瓦との間の通気性を高めるように工夫したものも提案されている（例えば、特許文献２参照）。
【特許文献２】特開２０００−８０７６０号公報
【発明の開示】
【発明が解決しようとする課題】
【０００４】
このような支持部材を設置して換気を行った場合には、小屋裏に雨水が侵入しやすい。なぜならば、通気窓が長手方向に沿って交互にずらせて設けられているとはいうものの、風雨が斜め方向から通気窓に入ってきた場合には、手前側の通気窓と奥側の通気窓との間に直通する部分が存在し、そのわずかな部分から小屋裏に雨水が侵入するからである。
【０００５】
小屋裏の換気においては、雨漏りが致命的であるとされ、このような雨漏りが起こらないようにする必要がある。
本発明は、このような雨漏りを起こすことがなく、しかも、腐蝕しないで半永久的に使用できる換気部材を提供することを目的とするものである。さらに、本発明は、このような換気部材を用いて小屋裏の様々な所における換気構造を提供することを目的とするものである。
【課題を解決するための手段】
【０００６】
上記目的を達成するために、本発明による換気部材は、上下に重ね合わせ得る２つの同一形状の長尺状部材からなり、両部材を互い違いに上下に重ね合わせた状態において、その長手方向に沿って両部材の支持板から互い違いに相手部材側に延び出る長尺状の遮断壁を有し、各遮断壁と前記両部材の各支持板とで形成される空間部分を換気通路としたものである。
【０００７】
この換気部材によれば、上下に重ね合わせ得る２つの部材を互い違いに上下に重ね合わせた状態において、手前側の長尺状の遮断壁と奥側の長尺状の遮断壁との間に直通する部分は存在しない。従って、この換気部材を用いた小屋裏に雨水が侵入することはない。
【０００８】
相手部材側に延び出ている一方の遮断壁の先端が他方の遮断壁の先端よりも奥に入り込むごとく延び出させてあることが望ましい。このようにしておくと、図３においてＨで示すように、相手部材側に延び出ている一方の遮断壁の先端が他方の遮断壁の先端よりも奥に入り込んでいるので、相手部材側に延び出ている前後の遮断壁の先端相互間においても、直通する部分は存在しない。従って、この換気部材を用いた小屋裏に雨水が侵入することはない。
【０００９】
上下に重ね合わせ得る２つの同一形状の長尺状部材には、両部材を互い違いに上下に重ね合わせた状態において、互いに凹凸嵌合させ得る凹部と凸部とを形成しておくことが好ましい。このようにしておくと、２つの同一形状の長尺状部材を上下に重ね合わせた状態で強固に一体化することができる。
【００１０】
換気部材を合成樹脂製とすることが好ましい。この場合には、換気部材が腐蝕することはなく、半永久的に使用できる。また、換気部材を簡単かつ安価に製造できる。
【００１１】
家屋の頂付近の野路板を開口し、この開口部とそれより上方に位置する棟木との間に、換気部材を設置する。この場合には、屋根裏にたまる湿気や熱気、結露などを放出することができ、棟の適正な換気を行うことができる。
【００１２】
野地板の途中を開口した開口部付近に、換気部材を設置する。この場合には、野地面の適正な換気を行うことができる。
【００１３】
家屋の頂付近の野路板を開口し、この開口部とそれより上方に位置する棟木との間、および、野地板の途中を開口した開口部付近のいずれにも、換気部材を設置する。この場合には、棟と野地面の双方の適正な換気を行うことができる。
【００１４】
瓦葺き下屋の野地板と屋根瓦との間である空間部分に、換気部材を設置する。この場合には、下屋の適正な換気を行うことができる。
【発明の効果】
【００１５】
請求項１記載の換気部材によれば、手前側の長尺状の遮断壁と奥側の長尺状の遮断壁との間に直通する部分は存在しないから、この換気部材を用いた場合には、小屋裏に雨水が侵入することがないという効果がある。
【００１６】
請求項２記載の換気部材によれば、相手部材側に延び出ている前後の遮断壁の先端相互間においても直通する部分は存在しないから、この換気部材を用いた場合には、小屋裏に雨水が侵入することがないという効果がある。
【００１７】
請求項３記載の換気部材によれば、２つの同一形状の長尺状部材を上下に重ね合わせた状態で強固に一体化することができるから、設置後における２つの部材の組立強度を高めることができるという効果がある。
【００１８】
請求項４記載の発明によれば、換気部材が腐蝕することはなく、半永久的に使用できるという効果がある。また、換気部材を簡単かつ安価に製造できるという効果がある。
【００１９】
請求項５記載の換気構造によれば、屋根裏にたまる湿気や熱気、結露などを放出することができ、棟の適正な換気を行うことができるという効果がある。
【００２０】
請求項６記載の換気構造によれば、野地面の適正な換気を行うことができるという効果がある。
【００２１】
請求項７記載の換気構造によれば、棟と野地面の双方の適正な換気を行うことができるという効果がある。
【００２２】
請求項８記載の換気構造によれば、下屋の適正な換気を行うことができるという効果がある。
【発明を実施するための最良の形態】
【００２３】
本発明の実施の形態を、添付の図面に基づいて詳細に説明する。
本発明による換気部材は、図１に示すように、上下に重ね合わせ得る２つの同一形状の長尺状部材からなっている。そして、両部材１，１を図２に示すように互い違いに上下に重ね合わせた状態において、その長手方向に沿って両部材１，１の支持板1a，1aから互い違いに相手部材側に延び出る長尺状の遮断壁1b，1bを有している。
【００２４】
この換気部材によれば、上下に重ね合わせ得る２つの部材１，１を図２に示すように互い違いに上下に重ね合わせた状態において、手前側の長尺状の遮断壁1bと奥側の長尺状の遮断壁1bとの間に直通する部分は存在しない。すなわち、手前側の長尺状の遮断壁1bと奥側の長尺状の遮断壁1bは前後に重なり合った状態に配置されており、手前側の遮断壁1bと奥側の遮断壁1bとの間に直通する部分は存在しない。
【００２５】
相手部材側に延び出ている一方の遮断壁1bの先端が他方の遮断壁1bの先端よりも奥に入り込むごとく延び出させてある。すなわち、図３においてＨで示すように、相手部材側に延び出ている一方の遮断壁の先端1bが他方の遮断壁1bの先端よりも奥に入り込むように延び出させてある。このようにしておくと、相手部材側に延び出ている前後の遮断壁1b，1bの先端相互間においても、直通する部分は存在しない。
【００２６】
そして、２つの部材１，１を図２に示すように互い違いに上下に重ね合わせた状態において、各遮断壁1b，1bと各支持板1a，1aとにより空間部分が形成され、図３の右側に示すように、この空間部分を換気通路２として利用する。
【００２７】
上下に重ね合わせ得る２つの同一形状の長尺状部材１，１には、両部材１，１を互い違いに上下に重ね合わせた状態において、互いに凹凸嵌合させ得る凹部３と凸部４とが形成されている。このようにしておくと、図４に示すように、凹部３と凸部４とを互いに凹凸嵌合させることができ、２つの同一形状の長尺状部材１，１を上下に重ね合わせた状態で強固に一体化することができる。
【００２８】
換気部材である２つの同一形状の長尺状部材１，１を、ポリプロピレン、ＡＢＳ樹脂その他各種の合成樹脂で製造するとよい。この場合には、換気部材が腐蝕することはなく、半永久的に使用できる。また、換気部材を簡単かつ安価に製造できる。塩化ビニル製とすると、焼却時有毒ガスが発生するので、好ましくない。
【００２９】
なお、図面符号５で示すように、長尺状部材１の支持板1aには、長手方向に所定の間隔を置いてネジ挿通用の孔が形成されており、この孔にネジ（図示しない）を挿通することによって、互い違いに上下に重ね合わせた２つの長尺状部材１，１を棟、野地面、下屋など小屋裏の様々な所に設置することができる。
【００３０】
図５に、家屋の頂付近の野路板Ａを開口し、この開口部ａとそれより上方に位置する棟木Ｂとの間に、互い違いに上下に重ね合わせた２つの長尺状部材１，１を設置した場合を例示する。この場合には、図５の矢印で示すように、屋根裏にたまる湿気や熱気、結露などを開口部ａから図３において図面符号２で示す換気通路を経て最終的に屋外に放出することができ、棟の適正な換気を行うことができる。
【００３１】
この場合においては、図２、図３及び図５に示すように、互い違いに上下に重ね合わせた２つの長尺状部材１，１を左右に突き合わせ、図２及び図３において図面符号６で示す防水テープにより左右のものを接合するとよい。このようにすると、左右の換気部材１，１の接合部分を防水テープ６で保護することができるのみならず、左右の換気部材１，１を屋根の勾配に合わせて設置できるので、極めて有利である。
【００３２】
図６に、野地板Ａの途中を開口し、その開口部a'付近に、互い違いに上下に重ね合わせた２つの長尺状部材１，１を設置した場合を例示する。この場合には、図６の矢印で示すように、野地面の適正な換気を行うことができる。
【００３３】
図７に、家屋の頂付近の野路板Ａを開口し、この開口部ａとそれより上方に位置する棟木Ｂとの間、および、野地板Ａの途中を開口し、その開口部a'付近のいずれにも、互い違いに上下に重ね合わせた２つの長尺状部材１，１を設置した場合を例示する。この場合には、図７の矢印で示すように、棟と野地面の双方の適正な換気を行うことができる。
【００３４】
図８に、瓦葺き下屋の野地板Ｃと屋根瓦Ｄとの間である空間部分に、互い違いに上下に重ね合わせた２つの長尺状部材１，１を設置した場合を例示する。この場合には、図８の矢印で示すように、下屋の適正な換気を行うことができる。
【００３５】
なお、図５〜図７において、図面符号Ｅは棟瓦、図面符号Ｆは屋根瓦である。また、図８において、図面符号Ｇは下屋の垂れ壁、Ｉは外壁、Ｊは熨斗瓦である。
【産業上の利用可能性】
【００３６】
このように、本発明による換気部材は棟、野地面、下屋など小屋裏の様々な所に用いることができる。そして、それぞれの所に設置することにより、小屋裏のそれぞれの所で適正な換気を行うことができる。
【図面の簡単な説明】
【００３７】
【図１】上下に重ね合わせ得る本発明による換気部材の一例を分解して示す斜視図である。
【図２】互い違いに上下に重ね合わせた２つの長尺状部材を左右に突き合わせ、防水テープにより左右のものを接合させた状態を示す斜視図である。
【図３】図２に示す換気部材の拡大断面図である。
【図４】凹部と凸部とを互いに凹凸嵌合させ、２つの同一形状の長尺状部材を上下に重ね合わせた状態で一体化した拡大断面図である。
【図５】家屋の頂付近の野路板を開口し、この開口部とそれより上方に位置する棟木との間に、互い違いに上下に重ね合わせた２つの長尺状部材を設置した場合を例示する概略断面図である。
【図６】野地板の途中を開口し、その開口部付近に、互い違いに上下に重ね合わせた２つの長尺状部材を設置した場合を例示する概略断面図である。
【図７】家屋の頂付近の野路板を開口し、この開口部とそれより上方に位置する棟木との間、および、野地板の途中を開口し、その開口部付近のいずれにも、互い違いに上下に重ね合わせた２つの長尺状部材を設置した場合を例示する概略断面図である。
【図８】瓦葺き下屋の野地板と屋根瓦との間である空間部分に、互い違いに上下に重ね合わせた２つの長尺状部材を設置した場合を例示する概略断面図である。
【符号の説明】
【００３８】
１…部材、1a…支持板、1b…遮断壁、２…換気通路、３…凹部、４…凸部、Ａ，Ｃ…野地板、ａ，a'…開口部、Ｂ…棟木、Ｄ，Ｆ…屋根瓦、Ｅ…棟瓦、Ｇ…垂れ壁。
【図１】
2006022514.tif 000003
【図２】
2006022514.tif 000004
【図３】
2006022514.tif 000005
【図４】
2006022514.tif 000006
【図５】
2006022514.tif 000007
【図６】
2006022514.tif 000008
【図７】
2006022514.tif 000009
【図８】
2006022514.tif 000010